【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
数独を解くためのゲームボードであって、該ゲームボード上に数独タイルを置き、該ゲームボードから前記数独タイルを取り出すことによって数独を解くためのゲームボードであり、該ゲームボードは上面を備える実質的に平坦で、好ましくは正方形又は長方形の薄板であり、前記上面は、複数、好ましくは、7本、8本又は9本の細長く、平行で、等距離にある溝を設けられ、前記溝は、前記ゲームボードの前記溝の中に部分的に押し込まれるときに、好ましくは少なくとも10度の、前記ゲームボードと傾いたタイルとの間の最小傾斜角まで、前記数独タイルを傾けることができるようにする所定の深さ及び幅を有し、より好ましくは、前記最小傾斜角は少なくとも30度であり、前記溝は前記ゲームボードの前記上面にわたって途切れることなく延在することを特徴とする、数独を解くためのゲームボード。
【請求項２】
前記ゲームボードの前記上面は、それぞれがその上に数独タイルを置くために複数のセルからなる格子を示す視覚的に識別可能なマーキングを設けられ、該マーキングは、第1の組の平行な線と、該第1の組の平行な線に対して垂直な第2の組の平行な線とを備え、該溝は、前記第1の組の前記線がそれに沿って延在する第1の側縁を有する、請求項1に記載の数独を解くためのゲームボード。
【請求項３】
前記溝は、斜角を付けられるか、又は面取りされる第2の側縁を有し、好ましくは、斜角を付けられるか、又は面取りされる該第2の側縁は、前記ゲームボードの平面と前記第2の側縁との間に角度を形成し、該角度は30度〜70度に含まれる、請求項1又は2に記載の数独を解くためのゲームボード。
【請求項４】
前記第1の組の前記線のうちの1つ以上、好ましくは、2つを除く全て、又は1つを除く全て、又は全てを、前記線の実質的に全長にわたって前記ゲームボードの前記上面に対して少なくとも部分に隆起させ、それにより、前記格子の個々の列を分離する、請求項2又は3に記載の数独を解くためのゲームボード。
【請求項５】
前記溝は、2つの隣接する溝間の最短距離の4分の1〜4分の3に含まれ、好ましくは、2つの隣接する溝間の最短距離の3分の1〜3分の2に含まれる幅を有する、請求項1〜4のいずれか一項に記載の数独を解くためのゲームボード。
【請求項６】
前記溝は深さ及び幅を有し、該深さは、該幅の少なくとも25%、好ましくは少なくとも33%、より好ましくは少なくとも50%である、請求項1〜5のいずれか一項に記載の数独を解くためのゲームボード。
【請求項７】
前記格子の前記セルはそれぞれ磁石又は磁化可能要素を備え、該磁石又は磁化可能要素は、前記ゲームボードの前記上面の表面下に、又は該上面の表面に位置し、前記磁石又は磁化可能要素は、前記溝の下、又は前記溝には位置せず、好ましくは、前記磁石又は磁化可能要素は、各セルの溝なし部分の中央に位置する、請求項2〜6のいずれか一項に記載の数独を解くためのゲームボード。
【請求項８】
前記溝は1.5 mm〜3 mm、好ましくは2.0 mm〜2.5 mmに含まれる深さを有し、前記溝は5 mm〜12 mmに含まれる幅を有し、隣接する溝間の距離は16 mm〜30 mmに含まれる、請求項1〜7のいずれか一項に記載の数独を解くためのゲームボード。
【請求項９】
前記ゲームボードは、5 mm〜20 mmに含まれ、好ましくは8 mm〜14 mmに含まれ、より好ましくは約10 mmである最大厚と、20 cm〜40 cm、好ましくは25 cm〜35 cmに含まれる長さと、20 cm〜40 cm、好ましくは25 cm〜35 cmに含まれる横幅とを有する、請求項1〜8のいずれか一項に記載の数独を解くためのゲームボード。
【請求項１０】
前記ゲームボードは実質的にPVC、好ましくはPVCフォームボード、より好ましくは独立気泡PVCフォームボード、最も好ましくはFOREXを含む、請求項1〜9のいずれか一項に記載の数独を解くためのゲームボード。
【請求項１１】
前記ゲームボードはPVC薄板のフライス加工を通して製造される、請求項1〜10のいずれか一項に記載の数独を解くためのゲームボード。
【請求項１２】
前記ゲームボードは、押し出し成形を通して、又は積層造形を通して製造される、請求項1〜10のいずれか一項に記載の数独を解くためのゲームボード。
【請求項１３】
前記ゲームボードは、底面に沿って、前記溝に垂直な方向において、好ましくは、前記底面に取り付けられる1つ以上の補強用クロスラスによって、前記底面において補強され、前記補強用クロスラスは前記溝に対して垂直である、請求項1〜12のいずれか一項に記載の数独を解くためのゲームボード。
【請求項１４】
数独を解くためのゲームボードを製造するための方法であって、
a.好ましくは長方形の上面、より好ましくは正方形の上面を有する平坦な薄板を設けるステップと、
b.前記平坦な薄板に、複数、好ましくは7本、8本又は9本の細長いスラットを、他のスラットから等距離かつ平行に取り付けるステップであって、それにより、平行で、等距離に溝を形成し、前記スラットは、数独タイルを傾けることができるように、所定の幅と、互いからの所定の距離とを有し、前記溝は前記上面にわたって途切れることなく延在する、ステップと、
c.前記ゲームボードの前記上面上に2組の視覚的に識別可能なマーキングを施すステップであって、第1の組のマーキングは前記スラットの第1の側縁上に、該第1の側縁に沿って施され、第2の組のマーキングは前記第1の組のマーキングに対して垂直に等距離に施され、該マーキングは、その上に数独タイルを置くことによって数独を解くのに適した格子を示す、ステップと、
を含み、
好ましくは、前記スラットは、面取りされるか、又は斜角を付けられる第2の側縁を有する、方法。
【請求項１５】
数独を解くためのゲームボードを製造するための方法であって、
a.好ましくは5 mmの最小厚、より好ましくは1 cmの最小厚を有する平坦な薄板を設けるステップと、
b.前記平坦な薄板の上面にわたって全体的に延在する複数、好ましくは7本、8本又は9本の細長く、平行で、等距離にある溝をフライス加工するステップであって、前記溝は数独タイルを傾けることができるようにする所定の深さ及び幅を有する、ステップと、
c.前記ゲームボードの前記上面上に2組の視覚的に識別可能なマーキングを施すステップであって、第1の組のマーキングは前記溝の第1の側縁に沿って施され、第2の組のマーキングは前記第1の組のマーキングに垂直に等距離に施され、該マーキングは、その上に数独タイルを置くことによって数独を解くのに適した格子を示す、ステップと、
を含み、
好ましくは、前記溝は、面取りされるか、又は斜角を付けられる第2の側縁を有する、方法。
【請求項１６】
数独を解くためのゲームボードを製造するための方法であって、
a.好ましくは5 mmの最小厚、より好ましくは1 cmの最小厚を有する平坦な薄板を設けるステップと、
b.上面と実質的に平坦な底面とを備える押し出しプロファイルを通して前記平坦な薄板を押し出し成形するステップであって、前記プロファイルの前記上面は、前記押し出し成形された薄板の中に複数の溝を押し出し成形するための複数、好ましくは7つ、8つ又は9つの等距離に配置される凹部を備える、ステップと、
c.前記ゲームボードの前記上面上に2組の視覚的に識別可能なマーキングを施すステップであって、第1の組のマーキングは前記溝の第1の側縁に沿って施され、第2の組のマーキングは前記第1の組のマーキングに垂直に等距離に施され、該マーキングは、その上に数独タイルを置くことによって数独を解くのに適した格子を示す、ステップと、
を含み、
好ましくは、前記溝は、面取りされるか、又は斜角を付けられる第2の側縁を有する、方法。
【請求項１７】
先行する請求項14〜16のいずれか一項に記載の数独を解くためのゲームボードを製造するための方法であって、前記ゲームボードは先行する請求項1〜10のいずれか一項に記載のゲームボードである、方法。
【請求項１８】
数独を解くためのキットであって、先行する請求項1〜13のいずれか一項に記載のゲームボードを備え、該ゲームボード上で数独を解くために形作られる複数の数独タイルを備え、該数独タイルは、前記ゲームボードの前記溝の中に部分的に押し込まれるときに、少なくとも所定の傾斜角だけ傾けることができるように構成され、前記傾斜角は少なくとも10度、より好ましくは少なくとも30度である、数独を解くためのキット。
【請求項１９】
数独を解くためのキットであって、先行する請求項7〜14のいずれか一項に記載のゲームボードを備え、該ゲームボード上で数独を解くために形作られる複数の数独タイルを備え、該数独タイルは、前記ゲームボードの前記溝の中に部分的に押し込まれるときに、少なくとも所定の傾斜角だけ傾けることができるように構成され、前記傾斜角は少なくとも10度、より好ましくは少なくとも30度であり、前記数独タイルは、磁石又は磁化可能要素を備え、該磁石又は磁化可能要素は、前記ゲームボード内の該磁石又は磁化可能要素と相互作用するように構成され、それにより、置かれた数独タイルを、磁気的相互作用を通して、前記ゲームボードに取外し可能に固定し、前記格子の所望のセル内に前記数独タイルを正確に位置決めする、数独を解くためのキット。